(57)【要約】【課題】構成が簡易な高機能舗装体用クリーニング装置を提供する。【解決手段】本発明に係る高機能舗装体用クリーニング装置８０のクリーニング部５０は、給水管及び吸引管として機能する内管６２及び外管６４を備えたクリーニング複合管６０を有している。そして、クリーニング複合管６０の給水管は、高機能舗装体に洗浄水を供給する。また、クリーニング複合管６０の吸引管は、高機能舗装体に供給された洗浄水を夾雑物ごと吸引する。このため、装置構成が単純でメンテナンスが楽であることに加え、高機能舗装体用クリーニング装置８０の低コスト化を図ることができる。【選択図】図２
2015124500.tif 000002
【特許請求の範囲】
【請求項１】
吸引手段と、
洗浄水を供給する給水手段と、
前記吸引手段と前記給水手段とに連通し、前記給水手段からの洗浄水を高機能舗装体側に供給するとともに、高機能舗装体の空隙に詰まった夾雑物を供給された洗浄水とともに吸引するクリーニング部と、を有し、
前記クリーニング部は、
前記吸引手段と連通する吸引管と、
前記給水手段と連通する給水管と、
前記吸引管及び給水管の管端に設置され前記吸引管及び給水管と高機能舗装体との隙間を塞ぐ密着部材と、を備えたクリーニング複合管を有することを特徴とする高機能舗装体用クリーニング装置。
【請求項２】
クリーニング部が、
複数のクリーニング複合管を管端が略面一となるように連結した複合管連結体を備えることを特徴とする請求項１記載の高機能舗装体用クリーニング装置。
【請求項３】
クリーニング部が、
回転可能な回転ドラムを有し、
前記回転ドラムの周面に、複数のクリーニング複合管が前記回転ドラムの周方向及び軸線方向に管端を外側に向けて固定され、
前記回転ドラム内には、前記回転ドラムの底側に位置するクリーニング複合管と吸引手段及び給水手段とを連通させる複合管連通機構を備え、
前記回転ドラムが回転することで、前記回転ドラムの底側に位置するクリーニング複合管が順次高機能舗装体の洗浄を行うことを特徴とする請求項１記載の高機能舗装体用クリーニング装置。
【請求項４】
各クリーニング複合管の内管は回転ドラムに形成された内管連通孔と連通し、
各クリーニング複合管の外管は前記回転ドラムの周方向に前記内管連通孔を挟んで形成された一対の外管連通孔と連通し、
複合管連通機構が、前記回転ドラムの底部内周面に摺接する摺接ヘッドを備え、
前記摺接ヘッドは、
前記回転ドラムの底側に位置した前記内管連通孔もしくは外管連通孔と吸引手段とを繋ぐ吸引連通孔と、
前記回転ドラムの周方向にそれぞれの吸引連通孔を挟んで一対形成され、前記回転ドラムの底側に位置した前記内管連通孔もしくは外管連通孔と給水手段とを繋ぐ給水連通孔と、を有し、
前記吸引連通孔と順次連通するクリーニング複合管の内管もしくは外管を吸引管として機能させるとともに、
前記給水連通孔と順次連通するクリーニング複合管の内管もしくは外管を給水管として機能させることを特徴とする請求項３に記載の高機能舗装体用クリーニング装置。
【発明の詳細な説明】
【技術分野】
【０００１】
本発明は、高機能舗装体の内部空隙に詰まった夾雑物を除去する高機能舗装体用クリーニング装置に関するものである。
【背景技術】
【０００２】
高機能舗装体とは、高粘度改質アスファルト等をバインダーにして所定の寸法の骨材を結合した空隙率が約２０％（豪雪地では約１７％）の舗装体であり、一般的には舗装面の表層に厚さ約５０ｍｍで形成される。この高機能舗装体の空隙は透水機能を備えており、路面上の雨水等をこの空隙を介して浸透もしくは排水することができる。これにより、路面上に水溜りが形成されず、雨天時のハイドロプレーニング、スモーキング、水跳ね等を防止することができる。また、車両の走行騒音を低減するなど、様々な効果を有している。
【０００３】
しかしながら、高機能舗装体は長期間にわたる使用により、その空隙に埃、土、砂等の夾雑物が堆積して目詰まりを引き起こし、上記の効果が低減するという問題点がある。この問題点に対し、本願発明者は比較的少量の洗浄水を用いて高機能舗装体に詰まった夾雑物を効果的に除去する高機能舗装体のクリーニング装置及びクリーニング方法に関する発明を行った（特許文献１）。
【先行技術文献】
【特許文献】
【０００４】
【特許文献１】特許第５１７４９９０号公報
【発明の概要】
【発明が解決しようとする課題】
【０００５】
特許文献１に記載の発明により、高機能舗装体の夾雑物を比較的少量の洗浄水で効果的に除去することが可能となった。ただし、特許文献１に記載の発明では、回転ドラムの周面を弾性被覆部材で覆う必要がある。この弾性被覆部材は、高機能舗装体の路面と接触して弾性変形し吸引孔を密閉する機能を有する。よって、ある程度の厚みを要するとともに柔軟性を備えたゴムやスポンジ等の部材で構成する必要がある。しかしながら、柔軟性を備え、ある程度の厚みを有する弾性被覆部材に吸引孔、通水孔を多数穿孔することは容易な作業ではなく、多くの時間と労力を要する。さらに、弾性被覆部材は使用に伴って損傷や摩耗が生じ、適宜交換が必要となる。従って、作製に時間と労力を要する弾性被覆部材を頻繁に作製する必要があり、これは効率の面からもコストの面からも好ましいことではない。またさらに、弾性被覆部材の交換には回転ドラム等の着脱が必要となり、この交換作業にも多くの時間と労力を要するという問題点がある。
【０００６】
本発明は上記事情に鑑みてなされたものであり、構成が単純でメンテナンス作業の容易な高機能舗装体用クリーニング装置を提供することを目的とする。
【課題を解決するための手段】
【０００７】
本発明は、
（１）吸引手段２と、洗浄水を供給する給水手段３と、
前記吸引手段２と前記給水手段３とに連通し、前記給水手段３からの洗浄水を高機能舗装体側に供給するとともに、高機能舗装体の空隙に詰まった夾雑物を供給された洗浄水とともに吸引するクリーニング部５０ａ、５０ｂと、を有し、
前記クリーニング部５０ａ、５０ｂは、
前記吸引手段２と連通する吸引管と、
前記給水手段３と連通する給水管と、
前記吸引管及び給水管の管端に設置され前記吸引管及び給水管と高機能舗装体との隙間を塞ぐ密着部材６３、６５と、を備えたクリーニング複合管６０を有することを特徴とする高機能舗装体用クリーニング装置８０を提供することにより、上記課題を解決する。
（２）クリーニング部５０ａが、複数のクリーニング複合管６０を管端が略面一となるように連結した複合管連結体６１を備えることを特徴とする上記（１）記載の高機能舗装体用クリーニング装置８０を提供することにより、上記課題を解決する。
（３）クリーニング部５０ｂが、回転可能な回転ドラム１１を有し、
前記回転ドラム１１の周面に、複数のクリーニング複合管６０が前記回転ドラム１１の周方向及び軸線方向に管端を外側に向けて固定され、
前記回転ドラム１１内には、前記回転ドラム１１の底側に位置するクリーニング複合管６０と吸引手段２及び給水手段３とを連通させる複合管連通機構を備え、
前記回転ドラム１１が回転することで、前記回転ドラム１１の底側に位置するクリーニング複合管６０が順次高機能舗装体の洗浄を行うことを特徴とする上記（１）記載の高機能舗装体用クリーニング装置８０を提供することにより、上記課題を解決する。
（４）各クリーニング複合管６０の内管６２は回転ドラム１１に形成された内管連通孔７２と連通し、
各クリーニング複合管６０の外管６４は前記回転ドラム１１の周方向に前記内管連通孔７２を挟んで形成された一対の外管連通孔７４と連通し、
複合管連通機構が、前記回転ドラム１１の底部内周面に摺接する摺接ヘッド７６を備え、
前記摺接ヘッド７６は、前記回転ドラム１１の底側に位置した前記内管連通孔７２もしくは外管連通孔７４と吸引手段２とを繋ぐ吸引連通孔７８ａと、前記回転ドラム１１の周方向にそれぞれの吸引連通孔７８ａを挟んで一対形成され、前記回転ドラム１１の底側に位置した前記内管連通孔７２もしくは外管連通孔７４と給水手段３とを繋ぐ給水連通孔７８ｂと、を有し、
前記吸引連通孔７８ａと順次連通するクリーニング複合管６０の内管６２もしくは外管６４を吸引管として機能させるとともに、
前記給水連通孔７８ｂと順次連通するクリーニング複合管６０の内管６２もしくは外管６４を給水管として機能させることを特徴とする上記（３）に記載の高機能舗装体用クリーニング装置８０を提供することにより、上記課題を解決する。
【発明の効果】
【０００８】
本発明に係る高機能舗装体用クリーニング装置は、単純且つ簡易な構成のため高機能舗装体用クリーニング装置のメンテナンス作業を楽に行うことができる。
【図面の簡単な説明】
【０００９】
【図１】本発明に係る高機能舗装体用クリーニング装置の基本構成を示す図である。
【図２】本発明に係る第１の形態のクリーニング部を説明する図である。
【図３】本発明に係るクリーニング複合管の管端部の例を示す図である。
【図４】本発明に係る複合管連結体の管端部の例を示す図である。
【図５】本発明に係る第２の形態のクリーニング部を説明する図である。
【図６】第２の形態のクリーニング部を牽引台車に設置した例を説明する図である。
【図７】第２の形態のクリーニング部の複合管連通機構を説明する部分拡大断面図である。
【図８】第２の形態のクリーニング部の複合管連通機構を説明する部分拡大断面図である。
【発明を実施するための形態】
【００１０】
本発明に係る高機能舗装体用クリーニング装置の実施の形態について図面に基づいて説明する。先ず、本発明に係る高機能舗装体用クリーニング装置８０の基本的な構成を図１を用いて説明する。図１に示す本発明に係る高機能舗装体用クリーニング装置８０は、真空ポンプや排風機等の周知の吸引手段２と、洗浄水を貯留する貯水タンクと送水ポンプ等の送水装置を有し洗浄水を供給する給水手段３と、吸引手段２と給水手段３とに連通し給水手段３からの洗浄水を高機能舗装体側に供給するとともに高機能舗装体の空隙に詰まった夾雑物を供給された洗浄水とともに吸引するクリーニング部５０と、を有している。尚、図１においては、吸引手段２、給水手段３を車両１に搭載するとともに、吸引手段２、給水手段３とクリーニング部５０とをフレキシブル配管５２ａ、５２ｂを介して連通させる例を示している。この構成によれは、装置規模が大きく能力の高い吸引手段２、給水手段３を車両１側に搭載し、これとクリーニング部５０とを連通することで、クリーニング部５０側を小型、軽量としながら高い吸引力、給水力を得ることができる。また、クリーニング部５０の移動が容易となり、作業者は高機能舗装体の洗浄作業を楽に効率良く行うことができる。
【００１１】
次に、クリーニング部５０を構成するクリーニング複合管６０の基本形態を、図２に示す第１の形態のクリーニング部５０ａの部分模式断面図を用いて説明する。本発明に係るクリーニング部５０のクリーニング複合管６０は、図２の模式断面図に示すように、所定の長さの内管６２と、この内管６２が内部に設置された外管６４とを有している。そして、この内管６２、外管６４が吸引手段２、給水手段３と連通することにより、内管６２、外管６４が吸引管もしくは給水管として機能する。尚、外管６４の内側にはガイド板６８を設置して、内管６２をガイド板６８を介して外管６４に固定するようにしても良い。この構成によれば、ガイド板６８による内管６２の位置決めが可能となり、内管６２を外管６４内の所定の位置に高精度かつ強固に固定することができる。また、ガイド板６８を例えば螺旋状に設置するなどすれば、外管６４が給水管として機能する際に洗浄水に方向性を持たせることが可能となり、例えば洗浄水をスパイラル状に供給することができる。
【００１２】
また、内管６２及び外管６４の管端には、内管６２、外管６４の管端と高機能舗装体との隙間を塞ぐ密着部材６３、６５が設置されている。尚、密着部材６３は内管６２の管端に設置され内管６２と高機能舗装体との隙間を塞ぐ密着部材である。また、密着部材６５は外管６４の管端に設置され外管６４と高機能舗装体との隙間を塞ぐ密着部材である。この密着部材としてはクリーニング複合管６０が高機能舗装体と当接したときに弾性変形するゴム等の気密パッキンやクッション材等を用いることが好ましい。尚、密着部材６３、６５の高機能舗装体との接触幅ｔは、密閉性の観点から高機能舗装体の厚さＷの１／２以上で、かつ内管６２及び外管６４を閉塞しない範囲とすることが好ましい。
【００１３】
この内管６２、外管６４の形状に特に限定は無く、図３（ａ）に示すように、単純に円形の外管６４内に円形の内管６２を設けるようにしても良いし、図３（ｂ）に示すように、角型としても良い。また、五角形、六角形等、如何なる形としても良い。また、外管６４内に設置する内管６２の数は複数であっても良い。ここで、図３（ｃ）は円形の外管６４内に３本の内管６２を設置した例である。また、図３（ｄ）は角型の外管６４内に３本の内管６２を設置した例である。またさらに、図３（ｅ）、図３（ｆ）に示すように、大型の外管６４内に内管６２を複数配列するようにしても良い。ここで、図３（ｅ）は、外管６４を横長とし、この外管６４内に内管６２を横方向に５つ配列して設置した例である。また、図３（ｆ）は、外管６４内に内管６２を横方向に５つ縦方向に２つ配列して設置した例である。尚、外管６４内に設置する内管６２の本数と配列は、上記の例に限定されるものではなく、どのような本数、配列としても良い。
【００１４】
また、例えば図４（ａ）、図４（ｂ）に示すように、複数のクリーニング複合管６０を連結し、この連結した複合管連結体６１をクリーニング部５０に用いても良い。このとき、各クリーニング複合管６０の管端は平面方向にほぼ面一となるように連結する。ここで、図４（ａ）に示す複合管連結体６１は、図３（ｂ）のクリーニング複合管６０を横方向に５つ連結した例である。また、図４（ｂ）に示す複合管連結体６１は、図３（ｂ）のクリーニング複合管６０を横方向に５つ縦方向に２つ連結した例である。尚、連結するクリーニング複合管６０の本数と配列は、上記の例に限定されるものではなく、どのような本数、配列としても良い。
【００１５】
これらの図３（ｅ）、図３（ｆ）、図４（ａ）、図４（ｂ）に示すクリーニング複合管６０及び複合管連結体６１は管端の面積が広いため、クリーニング部５０による高機能舗装体の洗浄を更に効率良く行うことができる。
【００１６】
次に、本発明に係る第１の形態のクリーニング部５０ａの構成を図２を用いて説明する。図２に示す第１の形態のクリーニング部５０ａは、前述のクリーニング複合管６０、もしくは、クリーニング複合管６０を複数連結した複合管連結体６１を有している。尚、図２ではクリーニング部５０ａにクリーニング複合管６０を用いた例を図示している。
【００１７】
そして、第１の形態のクリーニング部５０ａでは、クリーニング複合管６０もしくは複合管連結体６１の内管６２がフレキシブル配管５２ａを介して吸引手段２と連通する。また、クリーニング複合管６０もしくは複合管連結体６１の外管６４がフレキシブル配管５２ｂを介して給水手段３と連通する。従って、第１の形態のクリーニング部５０ａでは、クリーニング複合管６０の内管６２が常に吸引管として機能する。また、クリーニング複合管６０の外管６４が常に給水管として機能する。よって、以後の第１の形態のクリーニング部５０ａの説明においては、内管６２を吸引管６２と記述し、外管６４を給水管６４と記述する。
【００１８】
尚、第１の形態のクリーニング部５０ａのクリーニング複合管６０、複合管連結体６１は台車５等に設置して、作業者によるクリーニング部５０ａの移動を容易とすることが好ましい。さらに、クリーニング部５０ａの吸引配管経路上及び給水配管経路上にはレバー等で開閉する図示しない開閉弁を設置して、洗浄作業時のみ吸引動作及び給水動作を行うことが好ましい。この場合、開閉弁の操作手段は台車５のハンドル部に設置することが好ましい。
【００１９】
次に、第１の形態のクリーニング部５０ａの使用方法を説明する。尚、ここではクリーニング部５０ａにクリーニング複合管６０を用いた例を説明する。先ず、吸引手段２、給水手段３を動作させる。次に、作業者はクリーニング部５０ａを高機能舗装体の洗浄箇所に移動させる。次に、作業者はクリーニング部５０ａの図示しない開閉弁を開ける。これにより、クリーニング複合管６０の給水管６４（外管６４）と給水手段３とが連通し、給水管６４の管端から洗浄水が吐出する。また、クリーニング複合管６０の吸引管６２（内管６２）と吸引手段２とが連通し、吸引管６２は吸引能力を得る。次に、作業者はクリーニング複合管６０の管端が高機能舗装体に面するように屹立させる。このとき、密着部材６３、６５はクリーニング複合管６０の自重及び吸引管６２の吸引力により弾性変形し、吸引管６２、給水管６４の管端と高機能舗装体との隙間を塞ぐ。これにより、給水管６４からの洗浄水は高機能舗装体の内部に向けて供給される。この洗浄水の供給により、高機能舗装体の内部空隙に詰まった夾雑物は洗浄水中に遊離する。また、クリーニング複合管６０の吸引管６２は、高機能舗装体の内部に浸透した洗浄水を遊離した夾雑物ごと吸引する。これにより、高機能舗装体の内部空隙の夾雑物は除去され高機能舗装体の機能回復が行われる。尚、吸引管６２の管端は、前述のように密着部材６３で密閉されているため、吸引管６２の吸引力を管端（吸引端）近傍の高機能舗装体に効果的に作用させることができる。これにより、吸引端近傍の高機能舗装体内の夾雑物を、吸引端の周囲に供給された洗浄水とともに効果的に吸引、除去することができる。
【００２０】
次に、高機能舗装体用クリーニング装置８０の第２の形態のクリーニング部５０ｂを図５〜図８を用いて説明する。ここで、図５(ａ)は第２の形態のクリーニング部５０ｂの概略構成を示す側面図であり、図５(ｂ)は正面図である。図５（ａ）、図５（ｂ）に示す、本発明に係る第２の形態のクリーニング部５０ｂは、回転可能な回転ドラム１１を有し、この回転ドラム１１の周面には複数のクリーニング複合管６０が、回転ドラム１１の周方向及び軸線方向に亘って管端を外側に向けて固定されている。従って、クリーニング複合管６０は側面視で回転ドラム１１の回転軸に対して放射状に設置される。尚、クリーニング部５０ｂは、作業者が人力で移動可能な台車７に設置しても良いし、車両１に設置しても良い。また、図６に示すように、車両１が牽引する牽引台車１０に設置しても良い。
【００２１】
また、クリーニング部５０ｂを構成する回転ドラム１１は、回転軸に支持され回転軸の周面に沿って回転する。尚、本例では回転軸を複合管連通機構と連通する吸引配管５２ｃをとした例を示している。
【００２２】
次に、複合管連通機構の一例を図７、図８を用いて説明する。ここで、図７、図８は回転ドラム１１の内部を模式的に示す図５中のＡ−Ａ断面の部分拡大図である。図７に示すように、回転ドラム１１にはクリーニング複合管６０の内管６２と連通する内管連通孔７２と、クリーニング複合管６０の外管６４と連通する外管連通孔７４と、が形成されている。尚、外管連通孔７４は回転ドラム１１の周方向に、１つの内管連通孔７２に対し各一対内管連通孔７２を挟んで形成される。そして、この１対の外管連通孔７４が１本の外管６４とそれぞれ連通する。また、内管連通孔７２、外管連通孔７４は、回転ドラム１１の周方向に等間隔で形成される。
【００２３】
また、クリーニング部５０ｂの複合管連通機構は、下端が回転ドラム１１の内周と同じ曲率の凸曲面で構成されるとともに、例えばバネ等により回転ドラム１１側に付勢され、回転ドラム１１の底部内周面に対して摺接する摺接ヘッド７６を有している。尚、摺接ヘッド７６は、摩擦係数の小さいシリコン系の合成樹脂、若しくは銅その他の硬質金属で形成することが好ましい。そして、この摺接ヘッド７６の内部には吸引連通孔７８ａが形成され、この吸引連通孔７８ａには連通管２５が気密状態を維持しながら摺動可能に挿入される。そして、連通管２５は回転ドラム１１の中空部に延びた吸引配管５２ｃに連通し、吸引配管５２ｃは例えば台車７のフレームとしても機能するフレーム配管５１ａ、フレキシブル配管５２ａを介して吸引手段２に接続する。また、摺接ヘッド７６には、給水連通孔７８ｂが形成されている。この給水連通孔７８ｂは、回転ドラム１１の周方向にそれぞれの吸引連通孔７８ａを挟んで一対形成されている。そして、この給水連通孔７８ｂは例えばフレキシブル配水管５３を介して回転ドラム１１の内側に延びた給水配管５２ｄに接続し、給水配管５２ｄはフレーム配管５１ｂ、フレキシブル配管５２ｂを介して給水手段３に接続する。勿論、吸引連通孔７８ａ、給水連通孔７８ｂは回転ドラム１１の軸線方向にクリーニング複合管６０の数だけ形成される。尚、摺接ヘッド７６に繋がる上記の吸引配管経路及び給水配管経路の構成は一例であり、給水手段３、吸引手段２とクリーニング複合管６０とが摺接ヘッド７６を介して連通すればどのような配管構成、配管経路を用いても良い。
【００２４】
そして、回転ドラム１１の底部にクリーニング複合管６０が位置した図７の状態においては、摺接ヘッド７６の吸引連通孔７８ａと内管６２とが、内管連通孔７２を介して連通する。また、摺接ヘッド７６の２つの給水連通孔７８ｂとクリーニング複合管６０の外管６４とが、回転ドラム１１に形成された２つの外管連通孔７４を介して連通する。これによりクリーニング複合管６０の内管６２と吸引手段２とが内管連通孔７２、吸引連通孔７８ａ（摺接ヘッド７６）、連通管２５、吸引配管５２ｃ、フレーム配管５１ａ、フレキシブル配管５２ａを介して連通する。また、クリーニング複合管６０の外管６４と給水手段３とが外管連通孔７４、給水連通孔７８ｂ（摺接ヘッド７６）、フレキシブル配水管５３、給水配管５２ｄ、フレーム配管５１ｂ、フレキシブル配管５２ｂを介して連通する。これにより、クリーニング複合管６０の外管６４は給水管として機能し、管端から洗浄水が吐出する。また、クリーニング複合管６０の内管６２は吸引管として機能し、外管６４が吐出した洗浄水を夾雑物ごと吸引する。
【００２５】
また、図８（ａ）に示すように、回転ドラム１１の底部側に２本（２列）のクリーニング複合管６０’、６０’’が位置し、吸引連通孔７８ａが一方のクリーニング複合管６０’’の外管６４と連通し、給水連通孔７８ｂがクリーニング複合管６０’’の内管６２と他方のクリーニング複合管６０’の外管６４と連通する場合、クリーニング複合管６０’’の外管６４と吸引手段２とが外管連通孔７４、吸引連通孔７８ａ（摺接ヘッド７６）、連通管２５、吸引配管５２ｃ、フレーム配管５１ａ、フレキシブル配管５２ａを介して連通する。また、クリーニング複合管６０’’の内管６２とクリーニング複合管６０’の外管６４と給水手段３とが、内管連通孔７２及び外管連通孔７４、給水連通孔７８ｂ（摺接ヘッド７６）、フレキシブル配水管５３、給水配管５２ｄ、フレーム配管５１ｂ、フレキシブル配管５２ｂを介して連通する。これにより、クリーニング複合管６０’の外管６４とクリーニング複合管６０’’の内管６２は給水管として機能し、管端から洗浄水を吐出する。また、クリーニング複合管６０’’の外管６４は吸引管として機能し、吐出した洗浄水を夾雑物ごと吸引する。
【００２６】
また、図８（ｂ）に示すように、吸引連通孔７８ａが一方のクリーニング複合管６０’の外管６４と連通し、給水連通孔７８ｂがクリーニング複合管６０’の内管６２と他方のクリーニング複合管６０’’の外管６４と連通する場合、クリーニング複合管６０’の外管６４と吸引手段２とが外管連通孔７４、吸引連通孔７８ａ（摺接ヘッド７６）、連通管２５、吸引配管５２ｃ、フレーム配管５１ａ、フレキシブル配管５２ａを介して連通する。また、クリーニング複合管６０’の内管６２とクリーニング複合管６０’’の外管６４と給水手段３とが、内管連通孔７２及び外管連通孔７４、給水連通孔７８ｂ（摺接ヘッド７６）、フレキシブル配水管５３、給水配管５２ｄ、フレーム配管５１ｂ、フレキシブル配管５２ｂを介して連通する。これにより、クリーニング複合管６０’’の外管６４とクリーニング複合管６０’の内管６２は給水管として機能し、管端から洗浄水を吐出する。また、クリーニング複合管６０’の外管６４は吸引管として機能し、吐出した洗浄水を夾雑物ごと吸引する。
【００２７】
次に、第２の形態のクリーニング部５０ｂの使用方法を図７、図８を用いて説明する。先ず、吸引手段２、給水手段３を動作させる。次に、作業者はクリーニング部５０ｂを高機能舗装体の洗浄箇所に移動させる。次に、作業者はクリーニング部５０ｂを高機能舗装体上で転がす。これにより、回転ドラム１１に固定されたクリーニング複合管６０が順次、回転ドラム１１の底部側に回り込み高機能舗装体と当接する。
【００２８】
そして、図７の状態においては、回転ドラム１１の底部に位置するクリーニング複合管６０の外管６４と給水手段３とが連通する。また、クリーニング複合管６０の内管６２と吸引手段２とが連通する。このとき、クリーニング複合管６０の密着部材６３、６５は、クリーニング部５０ｂの自重等により弾性変形し、クリーニング複合管６０の管端と高機能舗装体との隙間を塞ぐ。これにより、クリーニング複合管６０の外管６４から高機能舗装体の内部に向けて洗浄水が供給される。また、クリーニング複合管６０の内管６２は、高機能舗装体の内部に浸透した洗浄水を遊離した夾雑物ごと吸引する。これにより、高機能舗装体の内部空隙の夾雑物は除去され高機能舗装体の機能回復が行われる。
【００２９】
次に、回転ドラム１１が回転して、図８（ａ）の状態になると、クリーニング複合管６０’の外管６４とクリーニング複合管６０’’の内管６２とが給水手段３と連通する。また、クリーニング複合管６０’’の外管６４が吸引手段２と連通する。このとき、クリーニング複合管６０’’の密着部材６３、６５は、クリーニング部５０ｂの自重等により弾性変形し、クリーニング複合管６０’’の管端と高機能舗装体との隙間を塞ぐ。これにより、クリーニング複合管６０’’の内管６２とクリーニング複合管６０’の外管６４から高機能舗装体に向けて洗浄水が供給される。また、クリーニング複合管６０’’の外管６４は、高機能舗装体の内部に浸透した洗浄水を遊離した夾雑物ごと吸引する。これにより、高機能舗装体の内部空隙の夾雑物は除去され高機能舗装体の機能回復が行われる。
【００３０】
回転ドラム１１がさらに回転して、図８（ｂ）の状態になると、クリーニング複合管６０’の内管６２とクリーニング複合管６０’’の外管６４とが給水手段３と連通する。また、クリーニング複合管６０’の外管６４が吸引手段２と連通する。このとき、クリーニング複合管６０’の密着部材６３、６５は、クリーニング部５０ｂの自重等により弾性変形し、クリーニング複合管６０’の管端と高機能舗装体との隙間を塞ぐ。これにより、クリーニング複合管６０’の内管６２とクリーニング複合管６０’’の外管６４から高機能舗装体に向けて洗浄水が供給される。また、クリーニング複合管６０’の外管６４は、高機能舗装体の内部に浸透した洗浄水を遊離した夾雑物ごと吸引する。これにより、高機能舗装体の内部空隙の夾雑物は除去され高機能舗装体の機能回復が行われる。
【００３１】
尚、吸引管として機能する内管６２もしくは外管６４は、前述のように密着部材６３、６５で密閉されているため、吸引管の吸引力を吸引端近傍の高機能舗装体に効果的に作用させることができる。これにより、吸引端近傍の高機能舗装体内の夾雑物を、吸引端の周囲に供給された洗浄水とともに効果的に吸引、除去することができる。
【００３２】
そして、クリーニング部５０ｂが回転するにつれ高機能舗装体の洗浄位置が移動し、高機能舗装体に対する洗浄作業が連続的に進行する。特に、クリーニング部５０ｂを車両１もしくは牽引台車１０に設置した構成では、車両１の移動によりクリーニング部５０ｂが回転動作するため、作業者の負担を軽減しながら効率的な洗浄作業を行うことができる。
【００３３】
尚、吸引された夾雑物を含む洗浄水は、例えば沈殿槽等の固液分離器にて夾雑物と洗浄水とに分離され、夾雑物は集塵容器に収容された後、廃棄される。また、分離された洗浄水は貯水タンクに戻されリサイクル洗浄水として再利用される。
【００３４】
以上のように、本発明に係る高機能舗装体用クリーニング装置８０のクリーニング部５０は、給水管及び吸引管として機能する内管６２及び外管６４を備えたクリーニング複合管６０を有している。そして、クリーニング複合管６０の給水管は、高機能舗装体に洗浄水を供給する。また、クリーニング複合管６０の吸引管は、高機能舗装体に供給された洗浄水を夾雑物ごと吸引する。また、クリーニング複合管６０には、管端に高機能舗装体との隙間を塞ぐ密着部材６３、６５が設置されている。これにより、高機能舗装体の洗浄時において、給水管及び吸引管の管端は密着部材６３、６５により密閉され、給水管からの洗浄水は高機能舗装体の内部に向けて効果的に供給されるとともに、吸引管の吸引力を吸引端近傍の高機能舗装体に効果的に作用させることができる。これにより、吸引端近傍の高機能舗装体内の夾雑物を、吸引端の周囲に供給された洗浄水とともに効果的に吸引、除去することができる。
【００３５】
尚、密着部材６３、６５はクリーニング複合管６０の管端に設置されるため、密着部材６３、６５に損傷や摩耗が生じた場合でも、密着部材６３、６５の交換を簡単に行うことができる。また、この交換作業はクリーニング部５０等の分解を必要としないため、作業現場でも容易に行うことができる。さらに、密着部材６３、６５は部材作製が容易なため、短時間且つ低コストで大量に製造することができる。これにより、高機能舗装体用クリーニング装置８０のメンテナンス作業の軽減と低コスト化とを図ることが可能となる。
【００３６】
さらに、吸引手段２、給水手段３とクリーニング部５０とをフレキシブル配管５２ａ、５２ｂを介して接続した構成では、高い吸引力、給水力を維持したままクリーニング部５０を小型化、軽量化することができる。これにより、クリーニング部５０の細かな取り回しが可能となり、高機能舗装体の狭隘部や局所的な洗浄を容易に行うことができる。
【００３７】
尚、本例で示した高機能舗装体用クリーニング装置８０、クリーニング部５０ａ、５０ｂ、クリーニング複合管６０、複合管連通機構等の構成は一例であり、各部の形状、構成、配管経路等は上記のものに限定されるものではなく、本発明の要旨を逸脱しない範囲で変更して実施することが可能である。
【符号の説明】
【００３８】
２      吸引手段
３      給水手段
１１    回転ドラム
５０、５０ａ、５０ｂ  クリーニング部
６０    クリーニング複合管
６１    複合管連結体
６２    内管
６４    外管
６３、６５    密着部材
７２    内管連通孔
７４    外管連通孔
７６    摺接ヘッド
７８ａ  吸引連通孔
７８ｂ  給水連通孔
８０    高機能舗装体用クリーニング装置
【図１】
2015124500.tif 000003
【図２】
2015124500.tif 000004
【図３】
2015124500.tif 000005
【図４】
2015124500.tif 000006
【図５】
2015124500.tif 000007
【図６】
2015124500.tif 000008
【図７】
2015124500.tif 000009
【図８】
2015124500.tif 000010